(57)【要約】【課題】  互いに合体分離可能な大小一対のペアアクセサリーにおいて、大小一対のアクセサリーを互いに合体させて身につけても容易に分離して紛失してしまわないように工夫したペアアクセサリーを提供する。【解決手段】  大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を、前記大アクセサリー本体に設けた前記小アクセサリー本体の収容部と、この収容部から前記小アクセサリー本体が外れないようにする固定手段とで構成することで解決した。【選択図】  図５
2010269125.tif 000002
【特許請求の範囲】
【請求項１】
大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を、前記大アクセサリー本体に設けた前記小アクセサリー本体の収容部と、この収容部から前記小アクセサリー本体が落下しないようにする蓋体と、この蓋体が前記大アクセサリー本体から外れないようにする固定手段とで構成したことを特徴とする、ペアアクセサリー。
【請求項２】
大アクセサリーと、この大アクセサリーと互いに関連する形態を有する小アクセサリーと、この小アクセサリーを前記大アクセサリーの大アクセサリー本体へ合体させる合体手段とから成り、この合体手段を、前記大アクセサリー本体に設けた前記小アクセサリーの収容部と、この収容部から前記小アクセサリーが落下しないようにする蓋体と、この蓋体が前記大アクセサリー本体から外れないようにする固定手段とで構成したことを特徴とする、ペアアクセサリー。
【請求項３】
前記固定手段を、前記蓋体と前記大アクセサリーの大アクセサリー本体との間に設けたヒンジ手段と、前記蓋体と前記大アクセサリー本体との間に設けた磁力吸着手段とで構成したことを特徴とする、請求項１乃至２のいずれか１項に記載のペアアクセサリー。
【請求項４】
前記固定手段を、前記蓋体と前記大アクセサリーの大アクセサリー本体との間に設けたヒンジ手段と、前記蓋体と前記大アクセサリー本体との間に設けたフック手段とで構成したことを特徴とする、請求項１乃至２のいずれか１項に記載のペアアクセサリー。
【請求項５】
前記固定手段を、前記蓋体と前記大アクセサリーの大アクセサリー本体との間に設けたネジ着手段で構成したことを特徴とする、請求項１乃至２のいずれか１項に記載のペアアクセサリー。
【請求項６】
大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を、前記大アクセサリー本体に設けた前記小アクセサリーの収容部と、この収容部と前記小アクセサリーとの間に設けた固定手段とで構成したことを特徴とする、ペアアクセサリー。
【請求項７】
大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を、前記大アクセサリー本体と前記小アクセサリー本体を重ね合わせて固定するネジ着手段と、前記大アクセサリー本体と前記小アクセサリー本体を重ね合わせて結束する結束手段とから成る固定手段で構成したことを特徴とする、ペアアクセサリー。
【請求項８】
大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を前記大アクセサリー本体に設けた前記小アクセサリー本体を収容させる収容部と、前記第ペンダント本体と前記小アクセサリー本体を固定させる固定手段とからなり、この固定手段を前記小アクセサリー本体に設けた係止凸部とこの係止凸部と係合するべく前記収容部に設けた前記係止凹部から成る凹凸係合手段で構成したことを特徴とする、ペアアクセサリー。
【請求項９】
前記固定手段は、さらに前記大アクセサリー本体と小アクセサリー本体との間に設けた磁力吸着手段を有することを特徴とする、請求項８に記載のペアアクセサリー
【請求項１０】
前記大アクセサリーと小アクセサリーは、それぞれ吊下げ紐を取り付ける吊下げ用リングを有し、前記小アクセサリーを前記大アクセサリーの収容部へ収容させた際に前記一対の吊下げ用リングが互いに軸方向へ重なり合うように構成したことを特徴とする、請求項８に記載のペアアクセサリー。
【請求項１１】
前記請求項１乃至１０に各記載の各種ペアアクセサリーを構成する大アクセサリーと小アクセサリーとを合体させた状態、或は分離させた状態でアクセサリーとして用いることを特徴とする、ペアペンダント。
【請求項１２】
前記請求項１乃至１０に各記載の各種ペアアクセサリーを構成する大アクセサリーと小アクセサリーとを合体させた状態、或は分離させた状態でアクセサリーとして用いることを特徴とする、ペアストラップ。
【請求項１３】
前記請求項１乃至１０に各記載の各種ペアアクセサリーを構成する大アクセサリーと小アクセサリーとを合体させた状態、或は分離させた状態でアクセサリーとして用いることを特徴とする、ペアブレスレット。
【請求項１４】
前記請求項１乃至１０に各記載の各種ペアアクセサリーを構成する大アクセサリーと小アクセサリーとを合体させた状態、或は分離させた状態でアクセサリーとして用いることを特徴とする、ペアネックレス。
【請求項１５】
前記請求項１乃至１０に各記載の各種ペアアクセサリーを構成する大アクセサリーと小アクセサリーとを合体させた状態、或は分離させた状態でアクセサリーとして用いることを特徴とする、装飾品。
【発明の詳細な説明】
【技術分野】
【０００１】
本発明は、友人同士、恋人同士、或は夫婦などの親しい人間同士が互いに持ち合うペアアクセサリー並びにこのペアアクセサリーを用いたペアネックレス、ペアペンダント、ペアストラップ、並びにペアブレスレットのような装飾品に関する。
【背景技術】
【０００２】
従来、友人同士、恋人同士、許婚同士、或は夫婦や家族などの親しい人間同士の間で、互いの信頼度や親密度を確認しあう意味で、ペアとなる一対のペンダントをお互いに身に着けて持ち合うことが一般に行なわれている。これらはペアペンダントと称せられている。これらのペアペンダントの多くは、吊下げ紐に吊り下げるアクセサリーが、互いに類似形乃至相似形となってペアアクセサリーを形成する、それぞれ独立した大小のもので構成されているものがほとんどである。
【０００３】
ところが、最近ではさらにお互いの信頼度や親密度を深めるために、互いにペアとなるペアアクセサリーの各アクセサリー本体を、合体分離できるように構成したものが出回るようになってきている。このような互いにペアとなるアクセサリー本体同士を互いに合体分離できる合体分離型のペアペンダントとして、下記する特許文献１と２に記載されたものが知られている。
他方、携帯電話機は今日広く普及を見ており、この携帯電話機には、通称ストラップと称せられるつり下げ紐が取り付けられている。このストッラップには、さまざまな形態のアクセサリーが取り付けられており、その一例を下記特許文献３に示す。
【先行技術文献】
【特許文献】
【０００４】
【特許文献１】特開平１１１８６４２７号公報
【特許文献２】実用登録第３１０５２３４号公報
【特許文献３】特開２００３−１７４９１７号公報
【発明の概要】
【発明が解決しようとする課題】
【０００５】
上記特許文献１と２に各記載のペアペンダントは、互いにペアとなる独立した男性用アクセサリーと女性用アクセサリーを互いに合体させることによって、完成デザインとして表現されるものであるが、容易に分離してしまうことから、合体状態でペンダントとして身につけて持ち歩く場合には不向きであるという問題があった。
【０００６】
ところが、ごく親しい友人同士、恋人同士、許婚同士、或は夫婦や家族の間でも、仕事上の出張、長期の海外旅行、その他の理由で一時的にお互いに離れて生活をしなくてはならない場合がある。また、出張など以外でも互いに地理的に離れた場所に生活の基盤がある場合がある。このような場合に互いにペアとなるペンダントの男性用アクセサリーと女性用アクセサリーを簡単には分離できないように合体させて一方が身に付けると、他方のいわば分身を身に付けることを示唆することから、より一層の親密度を増すことが期待できる。
【０００７】
他方、携帯電話機のストラップには、互いにペアとなる合体分離可能な大小のペアアクセサリーを、合体させた状態で一人が、或は分離した状態で親しい間柄の二人がそれぞれに持ち歩くという、コンセプトは今のところ見当たらない。このことはブレスレットについても言うことができる。
【０００８】
そうすると、最近は男性でも身に付けるようになったネックレスやブレスレットなどにも本発明に係るペアアクセサリーを用いて、ペアネックレス、ペアブレスレットとすることもできる。
【０００９】
本発明の目的は、互いに合体分離可能であり、合体状態でも分離状態でもアクセサリーとしての審美性を持ち、さらに合体手段に工夫を凝らしたペアアクセサリー、並びにこのペアアクセサリーを用いたペアネックレス、ペアペンダント、ペアストラップ、或はペアブレスレット等の装飾品を提供せんとするにある。
【課題を解決するための手段】
【００１０】
上述した課題を解決するために本発明は、大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を、前記大アクセサリー本体に設けた前記小アクセサリー本体の収容部と、この収容部から前記小アクセサリー本体が落下しないようにする蓋体と、この蓋体が前記大アクセサリー本体から外れないようにする固定手段とで構成したことを特徴とする。
【００１１】
本発明はまた、大アクセサリーと、この大アクセサリーと互いに関連する形態を有する小アクセサリーと、この小アクセサリーを前記大アクセサリーの大アクセサリー本体へ合体させる合体手段とから成り、この合体手段を、前記大アクセサリー本体に設けた前記小アクセサリーの収容部と、この収容部から前記小アクセサリーが落下しないようにする蓋体と、この蓋体が前記大アクセサリー本体から外れないようにする固定手段とで構成したことを特徴とする。
【００１２】
以上いずれの場合にも本発明は、前記固定手段を、前記蓋体と前記大アクセサリーの大アクセサリー本体の間に設けたヒンジ手段と、前記蓋体との間に設けた磁力吸着手段とで構成することができる。
【００１３】
本発明はまた、前記固定手段を、前記蓋体と前記大アクセサリーの大アクセサリー本体との間に設けたヒンジ手段と、前記蓋体との間に設けたフック手段とで構成したことを特徴とする。
【００１４】
本発明はまた、前記固定手段を、前記蓋体と前記大アクセサリーの大アクセサリー本体との間に設けたネジ着手段で構成したことを特徴とする。
【００１５】
本発明はさらに、大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を、前記大アクセサリー本体に設けた前記小アクセサリーの収容部と、この収容部と前記小アクセサリーとの間に設けた固定手段とで構成したことを特徴とする。
【００１６】
本発明はさらに、大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を、前記大アクセサリー本体と前記小アクセサリー本体を重ね合わせて固定するネジ着手段と、前記大アクセサリー本体と前記小アクセサリー本体を重ね合わせて結束する結束手段とから成る固定手段で構成したことを特徴とする。
【００１７】
本発明はさらに、大アクセサリーと、この大アクセサリーと互いに関連する形態を有する小アクセサリーと、この小アクセサリーの小アクセサリー本体を前記大アクセサリーの大アクセサリー本体へ合体させる合体手段とから成り、この合体手段を前記大アクセサリー本体に設けた前記小アクセサリー本体を収容させる収容部と、前記第ペンダント本体と前記小アクセサリー本体を固定させる固定手段とからなり、この固定手段を前記小アクセサリー本体に設けた係止凸部とこの係止凸部と係合するべく前記収容部に設けた前記係止凹部から成る凹凸係合手段で構成したことを特徴とする。
【００１８】
その際に本発明は、前記固定手段を、前記大アクセサリー本体と小アクセサリー本体との間に設けた磁力吸着手段を有するものとすることを特徴とする。
【００１９】
その際にさらに本発明は、前記大アクセサリーと小アクセサリーに、それぞれ吊下げ紐を取り付ける吊下げ用リングを設け、前記小アクセサリーを前記大アクセサリーの収容部へ収容させた際に前記一対の吊下げ用リングが互いに軸方向へ重なり合うように構成したことを特徴とする。
【００２０】
そして本発明は、上記したペアアクセサリーを用いてペアペンダント、ペアストラップ、及びペアブレスレットのような装飾品とするものである。
【発明の効果】
【００２１】
本発明は、以上のような構成を採用したことによって、大アクセサリーと小アクセサリーは合体させた状態、或は分離させた状態においてアクセサリーとしての審美性を持ち、分離させた状態において互いにペアであることがすぐに理解することができるものであり、また、合体させた状態で持ち歩いても両者は容易に分離してしまうことなく、このペアアクセサリーを、例えば男性用の大アクセサリーを例えば女性用の小アクセサリー或は小アクセサリー本体と合体させてネックレス、ペンダント、携帯電話機のストラップ、或はブレスレット等の装飾品に取り付けて持ち歩いても、合体手段により大アクセサリーと小アクセサリー或は小アクセサリー本体が簡単には分離しないので、より親密度が増し、再び会うときに小アクセサリーを紛失してしまって、相手方を落胆させる恐れがないという効果を奏し得る。
【００２２】
また、大アクセサリーと小アクセサリーをそれぞれ一組のネックレス、ペンダント、携帯電話機のストラップ、或はブレスレット等の装飾品に取り付けると、ペアネックレス、ペアペンダント、携帯電話機のペアストラップ、或はペアブレスレット等の互いにペアとなる装飾品とすることができるものである。
【図面の簡単な説明】
【００２３】
【図１】本発明に係るペアアクセサリーをペアペンダントのアクセサリーとして用いた場合を示すところの吊下げ紐の一部を省略して見た正面図である。
【図２】図１のＡ−Ａ線断面図である。
【図３】図１に示したペアアクセサリーの蓋体を用いて見た正面図である。
【図４】図１に示した小アクセサリーを吊下げ紐の一部を省略して見た正面図である。
【図５】図１に示した大アクセサリー本体の収容部へ小アクセサリー本体を収容させる前の分解斜視図である。
【図６】本発明に係るペアアクセサリーの他の実施例をペアペンダントのアクセサリーとして用いた場合を示すところの吊下げ紐の一部を省略して見た正面図である。
【図７】図６に示したペアアクセサリーの底面図である。
【図８】図６に示したペアアクセサリーの大アクセサリー本体の収容部へ、小アクセサリー本体を収容させる前の状態の一部分解斜視図である。
【図９】図６に示したペアアクセサリーの蓋体を用いた状態の側面図である。
【図１０】図６に示したペアアクセサリーの小アクセサリーを吊下げ紐の一部を省略して見た正面図である。
【図１１】本発明に係るペアアクセサリーの他の実施例をペアペンダントのアクセサリーとして用いた場合を示すところの吊下げ紐の一部を省略して見た正面図である。
【図１２】図１１に示したペアアクセサリーの背面図である。
【図１３】図１１に示したペアアクセサリーの分解斜視図である。
【図１４】図１１に示したペアアクセサリーのうち吊下げ紐の一部を省略して見た側面図である。
【図１５】図１１に示したペアアクセサリーのうち吊下げ紐の一部を省略して見た小アクセサリーの正面図である。
【図１６】本発明に係るペアアクセサリーの他の実施例をペアペンダントのアクセサリーとして用いた場合を示すところの吊下げ紐の一部を省略して見た正面図である。
【図１７】図１６のＢ−Ｂ線断面図である。
【図１８】図１６に示したペアアクセサリーの分解斜視図である。
【図１９】図１６に示したペアアクセサリーのうちの小アクセサリーの吊下げ紐の一部を省略して見た正面図である。
【図２０】本発明に係るペアアクセサリーの他の実施例をペアペンダントのアクセサリーとして用いた場合を示すところの吊下げ紐の一部を省略して見た正面図である。
【図２１】図２０に示したペアアクセサリーの背面図である。
【図２２】図２０に示したペアアクセサリーのうちの小アクセサリーの吊下げ紐の一部を省略して見た正面図である。
【図２３】図２０に示したペアアクセサリーのうちの大アクセサリーの縦断面図である。
【図２４】図２０に示したペアアクセサリーの使用方法を説明する説明図である。
【図２５】本発明に係るペアアクセサリーの他の実施例の大アクセサリーをペアペンダントのアクセサリーとして用いた場合を示すところの吊下げ紐を省略して見た正面図である。
【図２６】図２５に示した大アクセサリーへ小アクセサリーを重ね合わせて合体させた状態のペアアクセサリーの正面図である。
【図２７】図２５に示したペアアクセサリーのうちの小アクセサリーを吊下げ紐を省略して見た正面図である。
【図２８】図２５に示したペンダントの分解斜視図である。
【図２９】本発明に係るペアアクセサリーの他の実施例をペアペンダントのアクセサリーとして用いた場合を示すところの斜視図である。
【図３０】図２９に示したペアアクセサリーを分離して見た斜視図である。
【図３１】図２９に示したペアアクセサリーの小アクセサリー本体を裏側から見た斜視図である。
【図３２】図２９に示したペアアクセサリーの大アクセサリーと小アクセサリーを合体させて見た断面図である。
【図３３】本発明に係るペアアクセサリーの他の実施例をペアペンダントのアクセサリーとして用いた場合を示すところの吊下げ紐を省略させて見た斜視図である。
【図３４】図３３に示したペアアクセサリーの大アクセサリーと小アクセサリーを分離させて見た斜視図である。
【図３５】図３３に示したペアアクセサリーの大アクセサリーと小アクセサリーを合体させた状態の断面図である。
【図３６】本発明に係るペアアクセサリーの他の実施例をペアペンダントのアクセサリーとして用いた場合を示すところの吊下げ紐を省略させて見た斜視図である。
【図３７】図３６に示したペアアクセサリーの大アクセサリーと小アクセサリーを分離させて見た斜視図である。
【図３８】図３６に示したペアアクセサリーの大アクセサリーと小アクセサリーを合体させた状態の断面図である。
【図３９】本発明に係るペアアクセサリーの他の実施例をペアペンダントのアクセサリーとして用いた場合を示すところの吊下げ紐を省略させて見た斜視図である。
【図４０】図３９に示したペアアクセサリーの大アクセサリーと小アクセサリーを分離させて見た斜視図である。
【図４１】図３９に示したペアアクセサリーの大アクセサリーと小アクセサリーを合体させて見た断面図である。
【図４２】本発明に係るペアアクセサリーの他の実施例をペアペンダントのアクセサリーとして用いた場合を示すところの吊下げ紐を省略させて見た斜視図である。
【図４３】図４２に示したペアアクセサリーの大アクセサリーと小アクセサリーを分離させて見た斜視図である。
【図４４】図４２に示したペアアクセサリーの大アクセサリーと小アクセサリーを合体させて見た断面図である。
【図４５】本発明に係るペアアクセサリーの他の実施例をペアペンダントのアクセサリーとして用いた場合を示すところの吊下げ紐を省略させて見た斜視図である。
【図４６】図４５に示したペアアクセサリーの大アクセサリーと小アクセサリーを分離させて見た斜視図である。
【図４７】図４５に示したペアアクセサリーの大アクセサリーと小アクセサリーを合体させて見た断面図である。
【図４８】本発明に係るペアアクセサリーをペアストラップのアクセサリーとして用いた場合を示す斜視図である。
【図４９】図４８に示したペアアクセサリーを一対のペアストラップに用いて見た斜視図である。
【図５０】図４８に示したペアアクセサリーの大アクセサリーと小アクセサリーを合体させて見た断面図である。
【発明を実施するための形態】
【００２４】
以下に本発明に係るペアアクセサリーをペアペンダント、ペアストラップに用いた場合について説明するが、本発明に係るペアアクセサリーは、その他ペアネックレス、ペアブレスレット、その他の装飾品に用いることができるものである。尚、以下の説明において、大きい方のアクセサリーを大アクセサリーとし、小さい方のアクセサリーを小アクセサリーとして説明するが、互いに持ち合う人間同士の関係によって、男性用アクセサリー及び女性用アクセサリー、親用アクセサリー及び子用アクセサリー、或は夫用アクセサリー及び妻用アクセサリー等と言うこともできることから、呼び方に限定はない。要するにペアとなるアクセサリーであれば足りる。
【実施例１】
【００２５】
図１乃至図５は、本発明に係るペアアクセサリーをペアペンダントに実施した場合の１実施例を示す。本実施例１に係るペアアクセサリー１は、本の形態を模した大アクセサリー２と、本の表紙を模した小アクセサリー３と、この小アクセサリー３と大アクセサリー２の合体手段８とから成る。大アクセサリー２はさらに、大アクセサリー本体４と、この大アクセサリー本体４の上端部に設けた吊下げ紐５とから成り、小アクセサリー３は、小アクセサリー本体６と、この小アクセサリー本体６の上端部に設けた吊下げ用リング６ａとから成る。そして、合体手段８は、大アクセサリー２の大アクセサリー本体４と小アクセサリー３の小アクセサリー本体６を互いに合体分離することができるが、合体させた場合には、通常の使用では大アクセサリー本体４から小アクセサリー３或は小アクセサリー本体６が容易に分離できないように構成されている。
【００２６】
この合体手段８は、大アクセサリー本体４の表面中央部に設けたところの小アクセサリー本体６を収容させる収容部４ａと、大アクセサリー本体４の一側端部にヒンジ手段９を介して収容部４ａの前面を覆って開閉可能に取り付けられた蓋体１０と、この蓋体１０と前記大アクセサリー本体４との間に設けたヒンジ手段９と磁力吸着手段１１から成る固定手段１２とで構成されている。
【００２７】
収容部４ａは、平面から見た小アクセサリー本体６をそのまま収容できる大きさと形状を有しているが、吊下げ紐５も同時に収容できる大きさと形状にしても良い。この場合には大アクセサリー本体４に小アクセサリー３が収容できることになる。尚、この収容部４ａの形状と構造は実施例１のものに限定されない。それは小アクセサリーや小アクセサリー本体の形態によってさまざまに異なる。
【００２８】
ヒンジ手段９は、大アクセサリー本体４の一側部中央部より突設した連結片４ｂと、蓋体１０の一側端部より連結片４ｂの分だけ離して突設した一対の連結片１０ａ、１０ａと、この連結片１０ａ、１０ａと連結片４ｂとを連結するヒンジピン１３、とで構成されている。尚、連結片は大アクセサリー本体４の側に２個、蓋体１０の側に１個設けるようにしても良いし、互いに１個ずつとしても良い。その連結片の突設の仕方や数に限定はない。
【００２９】
固定手段１２を構成する磁力吸着手段１１は、実施例１では、蓋体１０の開放側の一側部上下に所定間隔を空けて取り付けた磁性片１０ｂ、１０ｂと、大アクセサリー本体４の一側上面の、ヒンジ手段９を介して前記蓋体１０を閉じた際に前記磁性片１０ｂ、１０ｂと重なる位置に設けた磁石４ｃ、４ｃとで構成されている。この磁力吸着手段１１は、大アクセサリー本体４側の磁石４ｃ、４ｃを蓋体１０の方へ取り付け、大アクセサリー本体４の方へ蓋体１０側の磁性片１０ｂ、１０ｂを取り付けるようにしても良いし、両方とも互いに極性の異なる磁石を用いても良い。
【００３０】
大アクセサリー本体４及び小アクセサリー本体６は、好ましくはダイキャスト鋳物であるが、このものに限定されない。例えば、合成樹脂成形品、合成樹脂の成形品に金属メッキを施したもの、その他の金属製の鋳物、機械加工製のもの等が考えられる。要するにペンダントとして用いられるものであれば良い。
【００３１】
蓋体１０の表面と、小アクセサリー本体６の表面には、同じ図柄の意匠６ｂと１０ｃが施されており、この意匠６ｂと１０ｃが互いに関連する図柄を持つことで、大アクセサリー２と小アクセサリー３が互いにペアアクセサリーであることが解るようになっている。尚、この意匠６ｂと１０ｃの形状、模様、色彩等に限定はない。
【００３２】
したがって、この実施例１のペアアクセサリー１は、大アクセサリー本体４の収容部４ａに小アクセサリー本体６が収容された状態で吊下げ紐５と共に販売され、例えば、恋人同士の例えば男性が大アクセサリー２の吊下げ用リング４ｄに通した吊下げ紐５を用いて首から吊り下げることにより大ペンダントとして身に付け、小アクセサリー３は、大アクセサリー本体４より小アクセサリー本体６を取り出して、吊下げ用リング６ａへ吊下げ紐７を通して例えば女性が小ペンダントとして身につけるものである。大アクセサリー２の吊下げ紐５は、最初より吊下げ用リング４ｄへ取り付けられていることが好ましいが、小アクセサリー３の吊下げ紐７は、小アクセサリー本体６とは別となっており、好ましくは、大アクセサリー２の吊下げ紐５と同じ構造、形態、材質のものが同時に販売されることになる。尚、小アクセサリー３の吊下げ紐７を小アクセサリー本体６の吊下げ用リング６ａへ取り付けた状態で大アクセサリー本体４の収容部４ａへ収容させておくこともできる。また、吊下げ紐は図面ではチェーンで示してあるが、チェーンに限定されない。それは金属製のチェーンを始めとしてさまざまな繊維製、樹脂製、ゴム製等のものがあり、その材料、形態、構造について限定はない。要するにペアアクセサリーを首から吊り下げることができれば良い。
【００３３】
本発明は、大アクセサリー２と小アクセサリー３はそれぞれ独立したペンダントのアクセサリーとして、別々に身につけることができるが、大アクセサリー２から小アクセサリー３を分離させても、大アクセサリー２や小アクセサリー３が各々独立したペンダントのアクセサリーとして、装飾性を持っている。
【００３４】
また、恋人同士や夫婦のように親密な人間関係にある間柄では、例えば、男性が遠くに離れたところに居たり、長期に出張したりする場合、或は近い将来小アクセサリー３を渡す人が現れる期待のある場合等に大アクセサリー２の大アクセサリー本体４の収容部４ａへ小アクセサリー３の小アクセサリー本体６を収容させた状態でペンダントとして身につけて持ち歩いても、蓋体１０が収容部４ａの上面を覆い、蓋体１０は固定手段１２を構成するヒンジ手段９と磁力吸着手段１１で大アクセサリー本体４へ固定されているので、小アクセサリー３が大アクセサリー２より容易に分離してしまうことがないところに特徴がある。
【００３５】
このように、大アクセサリー２の大アクセサリー本体４の中に小アクセサリー３の小アクセサリー本体６を収容させ、或は吊下げ紐７付きの小アクセサリー３そのものを吊下げ紐７と共に大アクセサリー本体４の中へ収容させて、親しい人間同士の一方がペンダントとして身に付けることにより、より一層の親密さを深めることが期待できるものである。
【００３６】
尚、本発明の対象であるペアアクセサリーは、上述したように実施例１の本を模したもの以外にさまざまな形態のものが考えられる。このようなさまざまな形態のペアアクセサリーに、本実施例１に係るヒンジ手段９と磁力吸着手段１１から成る固定手段１２を用いたものが、本発明の中に含まれることになる。
【実施例２】
【００３７】
図６乃至図１０は、ペアパンダントに用いるペアアクセサリーの他の実施例を示す。本実施例２に係るペアアクセサリー１５は、十字架の形をした大アクセサリー１６と、同じく十字架の形をした小アクセサリー１７と、この小アクセサリー１７と大アクセサリー１６の合体手段１８とから成る。大アクセサリー１６はさらに、大アクセサリー本体１９と、この大アクセサリー本体１９の上端部に設けた吊下げ用リング１９ｃとから成り、小アクセサリー１７は、とくに図１０に示したように、小アクセサリー本体２１と、この小アクセサリー本体２１の上端部に設けた吊下げ用孔２１ａとから成る。そして、合体手段１８は、大アクセサリー１６の大アクセサリー本体１９と小アクセサリー１７の小アクセサリー本体２１を互いに合体分離することができるが、合体後は通常の使用では大アクセサリー本体１９より小アクセサリー１７或は小アクセサリー本体２１が容易に分離できないように構成されている。
【００３８】
小アクセサリー本体２１にはその表面に複数のダイヤモンド、或は模造ダイヤモンド等から成る装飾部材２１ｂが取り付けられている。この装飾部材２１ｂには特に限定はなく、他の宝石、ガラス細工、その他のものに代えることができる。
【００３９】
合体手段１８は、大アクセサリー本体１９の表面中央部に設けたところの小アクセサリー本体２１を収容させる十字架状の収容部１９ａと、大アクセサリー本体１９の一側端部にヒンジ手段２３を介して収容部１９ａの前面を覆って開閉可能に取り付けられたところの十字架状の窓部２４ａを設けた蓋体２４と、この蓋体２４と前記大アクセサリー本体１９との間に設けたヒンジ手段２３とフック手段２５から成る固定手段２６とで構成されている。そして、小アクセサリー１７や小アクセサリー本体２１を大アクセサリー本体１９の収容部１９ａへ収容した状態で、窓部２４ａを介して外部より見ることができる。尚、窓部２４ａの大きさは、小アクセサリー本体２１より小小さく形成してある。
【００４０】
収容部１９ａは、平面から見た小アクセサリー本体２１をそのまま収容できる大きさを有する形状をしているが、小アクセサリー本体２１用の吊下げ紐２２も同時に収容できる大きさと形状にしても良い。この場合には大アクセサリー本体１９に小アクセサリー１７が収容できることになる。
【００４１】
固定手段２６を構成するヒンジ手段２３は、大アクセサリー本体１９の下端部の両側部より突設した一対の連結片１９ｂ、１９ｂと、蓋体２４の下端部の中央部より突設した連結片２４ｂと、この連結片１９ｂ、１９ｂと連結片２４ｂとを連結するヒンジピン２７、とで構成されている。尚、連結片は大アクセサリー本体１９の側に１個、蓋体２４の側に２個設けるようにしても良いし、互いに１個ずつとしても良い。その連結片の突設の仕方や数に限定はない。
【００４２】
固定手段２６を構成するフック手段２５は、実施例では、とくに図９に示したように、蓋体２４の先端側下部に設けた係止片２４ｃと、大アクセサリー本体１９の上端部上面の、ヒンジ手段２３を介して前記蓋体２４を閉じた際に前記係止片２４ｃと係合する位置に設けた係合凹部１９ｄとで構成されている。この固定手段２６を構成するフック手段２５は、大アクセサリー本体１９側の係合凹部１９ｄを蓋体２４の方へ取り付け、大アクセサリー本体１９の方へ係止片を設けるようにしても良い。また、大アクセサリー本体１９の側に磁性片或は磁石を取付け、蓋体２４の側に前記磁石或は磁性片を取り付けることにより、実施例１に記載した磁力吸着手段としても良い。
【００４３】
大アクセサリー本体１９及び小アクセサリー本体２１は、好ましくはダイキャスト鋳物であるが、このものに限定されない。例えば、合成樹脂成形製、合成樹脂の成形品に金属メッキを施したもの、その他の金属製の鋳物、機械加工製のもの等が考えられる。要するにペンダントとして用いられるものであれば良い。
【００４４】
大アクセサリー本体１９、収容部１９ａ及び窓部２４ａと小アクセサリー本体２１が共に十字架状を呈しており、大アクセサリー本体１９、蓋体２４、及びその窓部２４ａと小アクセサリー本体２１とが互いに相似形状乃至類似していることで、大アクセサリー１６と小アクセサリー１７が互いにペアアクセサリーであることが解るようになっている。
【００４５】
したがって、この実施例２のペアアクセサリー１５は、大アクセサリー本体１９の収容部１９ａに、小アクセサリー本体２１が収容された形で吊下げ紐２０と共に販売され、例えば、恋人同士の例えば男性が大アクセサリー１６の吊下げ用リング１９ｃに通した吊下げ紐２０を用いて首から吊り下げることにより大ペンダントとして身に付け、小アクセサリー１７は、大アクセサリー本体１９の収容部１９ａより小アクセサリー本体２１を取り出して、吊下げ用孔２１ａへ吊下げ紐２２を通して例えば女性が小ペンダントとして身につけるものである。大アクセサリー１６の吊下げ紐２０は、最初より吊下げ用リング１９ｃへ取り付けられていることが好ましいが、小アクセサリー１７の吊下げ紐２２は、小アクセサリー本体２１とは別となっており、好ましくは、大アクセサリー１６の吊下げ紐２０と同じ構造、形態、材質のものが同時に販売されることになる。尚、小アクセサリー１７の吊下げ紐２２を小アクセサリー本体２１の吊下げ用孔２１ａへ取り付けた状態で大アクセサリー本体１９の収容部１９ａ内へ収容させておくこともできる。この吊下げ用孔２１ａには、吊下げ用リング１９ｃを予め取り付けておいても良く、吊下げ用リング１９ｃを小アクセサリー本体２１へ一体的に設けておいても良い。また、大アクセサリー本体１９の収容部１９ａ内に収容されている小アクセサリー本体２１の装飾部材２１ｂは、蓋体２４に設けた十字架状の窓部２４ａを介して、その装飾部材２１ｂを外部から見ることができるので、大アクセサリー１６の装飾性を高めることとなる。尚、吊下げ紐２０、２２は図面ではチェーンで示してあるが、チェーンに限定されない。それは金属製のチェーンを始めとしてさまざまな繊維製、樹脂製、ゴム製等のものがあり、その形態と材料および構成に限定はない。
【００４６】
本発明は、大アクセサリー１６と小アクセサリー１７がそれぞれ独立したペンダントのアクセサリーとして、別々に身につけることができるが、大アクセサリー１６から小アクセサリー１７或は小アクセサリー本体２１を分離させても、大アクセサリー１６や小アクセサリー１７が各々独立したペンダントのアクセサリーとして、装飾性を持っている。
【００４７】
また、恋人同士や夫婦のように親密な人間関係にある間柄では、例えば、男性が遠くに離れたところに居たり、長期に出張したりする場合、或は近い将来小アクセサリー１７を渡す人が現れる期待のある場合等に大アクセサリー１６の大アクセサリー本体１９の収容部１９ａへ小アクセサリー１７の小アクセサリー本体２１を収容させた状態でペンダントとして身につけて持ち歩いても、蓋体２４が収容部１９ａの上面を覆い、蓋体２４は固定手段２６を構成するフック手段２５で大アクセサリー本体１９へ係止されているので、小アクセサリー１７或は小アクセサリー本体２１が大アクセサリー１６より容易に分離してしまうことがない。
【００４８】
このように、大アクセサリー本体１９の収容部１９ａの中に小アクセサリー１７の小アクセサリー本体２１を収容させ、或は吊下げ紐２２付きの小アクセサリー１７そのものを吊下げ紐２２と共に大アクセサリー本体１９の収容部１９ａの中へ収容させてペンダントとして身に付けることにより、より一層の親密さを深めることが期待できるものである。
【００４９】
尚、本発明の対象であるペアアクセサリーは、上述したように実施例２の十字架状のもの以外にさまざまな形態のものが考えられる。このようなさまざまな形態のペアアクセサリーに、本実施例２に係る固定手段２６を構成するヒンジ手段２３とフック手段２５を用いたものが、本発明の中に含まれることになる。
【実施例３】
【００５０】
図１１乃至図１５は、ペアペンダントに用いるペアアクセサリーのさらに他の実施例を示す。本実施例３に係るペアアクセサリー３０は、平面略矩形状を呈した大アクセサリー３１と、平面十字架状を呈した小アクセサリー３２と、この小アクセサリー３２と大アクセサリー３１の合体手段３３とから成る。大アクセサリー３１はさらに、大アクセサリー本体３４と、この大アクセサリー本体３４の上端部に設けた吊下げ用リング３４ｃとから成り、小アクセサリー３２は、小アクセサリー本体３５と、この小アクセサリー本体３５の上端部に設けた吊下げ用孔３５ａとから成る。そして、合体手段３３は、大アクセサリー３１の大アクセサリー本体３４と小アクセサリー３２の小アクセサリー本体３５を互いに合体分離することができるが、合体後は通常の使用では大アクセサリー本体３４から小アクセサリー３２或は小アクセサリー本体３５が容易に分離できないように構成されている。
【００５１】
小アクセサリー本体３５の表面には、複数の装飾部材３５ｂが取り付けられている。この装飾部材３５ｂについてはとくに限定はなく、ダイヤモンド、模造ダイヤモンド、その他の宝石、ガラス細工、その他のものであっても良い。
【００５２】
この合体手段３３は、大アクセサリー本体３４の表面中央部に設けたところの小アクセサリー本体３５を収容させる収容部３４ａと、この収容部３４ａの前面を覆って取り付けられたところの正面中央部に十字架状の窓部３８ａを設けた蓋体３８と、この蓋体３８と前記大アクセサリー本体３４へ取り付けるため４本の取付ネジ３９ａから成るネジ着手段３９ｂから成る固定手段３９とで構成されている。尚、取付ネジ３９ａは、大アクセサリー本体３４の四角に設けた貫通取付孔３４ｂを介して蓋体３８に設けた雌ネジ孔３８ｂと螺合して、蓋体３８を大アクセサリー本体３４へ固着するものである。さらに、小アクセサリー３２や小アクセサリー本体３５は、大アクセサリー３１の大アクセサリー本体３４の収容部３４ａへ収容させた状態で窓部３８ａを介して外部より見ることができる構成となっている。尚、窓部３８ａの大きさは、小アクセサリー本体３５よりも小さく形成してある。
【００５３】
収容部３４ａは、平面から見た小アクセサリー本体３５をそのまま収容できる大きさを有する十字架形状をしているが、吊下げ紐３７も同時に収容できる形状にしても良い。この場合には大アクセサリー本体３４に小アクセサリー３２が収容できることになる。尚、この収容部の形状と構造は実施例３のものに限定されない。それは小アクセサリーや小アクセサリー本体の形態によってさまざまに異なる。
【００５４】
ネジ着手段３９ｂから成る固定手段３９は、実施例３では、大アクセサリー本体３４を通して取付ネジ３９ａで蓋体３８を、大アクセサリー本体３４へ固着させるものが示してあるが、蓋体３８の側より取付ネジ３９ａで当該蓋体３８を大アクセサリー本体３４へ固着させるようにしても良い。
【００５５】
大アクセサリー本体３４及び小アクセサリー本体３５は、好ましくはダイキャスト鋳物であるが、このものに限定されない。例えば、合成樹脂成形製、合成樹脂の成形品に金属メッキを施したもの、その他の金属製の鋳物、機械加工製のもの等が考えられる。要するにペンダントとして用いられるものであれば良い。
【００５６】
蓋体３８の中央部に設けた十字架状の窓部３８ａは、小アクセサリー本体３５と略同じ形態であり、この窓部３８ａと小アクセサリー本体３５の形態が似ていることで、大アクセサリー３１と小アクセサリー３２が互いに相似形のペアアクセサリーであることが解るようになっている。
【００５７】
したがって、この実施例３のペアアクセサリー３０は、大アクセサリー本体３４の収容部３４ａに小アクセサリー本体３５が収容された形で吊下げ紐３６と共に販売され、例えば、恋人同士の例えば男性が大アクセサリー３１の吊下げ用リング３４ｃに通した吊下げ紐３６を用いて首から吊り下げることにより大ペンダントとして身に付け、小アクセサリー３２は、大アクセサリー本体３４の収容部３４ａより小アクセサリー本体３５を取り出して、図１５に示したように、吊下げ用孔３５ａへ吊下げ紐３７を通して例えば女性が小ペンダントとして身につけるものである。大アクセサリー３１の吊下げ紐３６は、最初より吊下げ用リング３４ｃへ取り付けられていることが好ましいが、小アクセサリー３２の吊下げ紐３７は、小アクセサリー本体３５とは別となっており、好ましくは、大アクセサリー３１の吊下げ紐３６と同じ構造、形態、材質のものが同時に販売されることになる。尚、小アクセサリー３２の吊下げ紐３７を小アクセサリー本体３５の吊下げ用孔３５ａへ取り付けた状態で大アクセサリー本体３４の収容部３４ａへ収容させておくこともできる。さらに、吊下げ紐３６、３７は図面ではチェーンで示してあるが、チェーンに限定されない。それは金属製のチェーンを始めとしてさまざまな繊維製、樹脂製、ゴム製等のものがあり、その材料、形態、構造について限定はない。要するにペアアクセサリーを首から吊り下げることができれば良い。
【００５８】
本発明に係るペアアクセサリー３０も大アクセサリー３１と小アクセサリー３２がそれぞれ独立したペンダントのアクセサリーとして、別々に身につけることができるが、大アクセサリー３１から小アクセサリー３２を分離させても、大アクセサリー３１や小アクセサリー３２が各々独立したペアペンダントのアクセサリーとして、装飾性を持っている。
【００５９】
また、恋人同士や夫婦のように親密な人間関係にある間柄では、例えば、男性が遠くに離れたところに居たり、長期に出張したりする場合、或は近い将来小アクセサリー３２を渡す人が現れる期待のある場合等に大アクセサリー３１の大アクセサリー本体３４の収容部３４ａへ小アクセサリー３２の小アクセサリー本体３５を収容させた状態でペンダントとして身につけて持ち歩いても、蓋体３８が収容部３４ａの上面を覆い、蓋体３８は固定手段３９であるネジ着手段３９ｂで大アクセサリー本体３４へ固着されているので、小アクセサリー３２が大アクセサリー本体３４より容易に分離してしまうことがない。
【００６０】
このように、大アクセサリー本体３４の収容部３４ａの中に小アクセサリー３２の小アクセサリー本体３５を収容させ、或は吊下げ紐３７付きの小アクセサリー３２そのものを吊下げ紐３７と共に大アクセサリー本体３４の収容部３４ａの中へ収容させてペンダントとして身に付けることにより、より一層の親密さを深めることが期待できるものである。
【００６１】
尚、実施例３に係る本発明の対象であるペアアクセサリーは、上述したような形態のもの以外にさまざまな形態のものが考えられる。このようなさまざまな形態のペアアクセサリーに、本実施例３に係る固定手段３９としてのネジ着手段３９ｂを用いたものが、本発明の中に含まれることになる。
【実施例４】
【００６２】
図１６乃至図１９は、ペアペンダントの用いるペアアクセサリーのさらに他の実施例を示す。本実施例４に係るペアアクセサリー４０は、丸筒状を呈した大アクセサリー４１と、丸棒状を呈した小アクセサリー４２と、この小アクセサリー４２と大アクセサリー４１の合体手段４３とから成る。大アクセサリー４１はさらに、大アクセサリー本体４４と、この大アクセサリー本体４４の上端部に取り付けた後述する蓋体４９に取り付けた吊下げ用リング４９ｂとから成り、小アクセサリー４２は、小アクセサリー本体４５と、この小アクセサリー本体４５の上端部に設けた吊下げ用孔４５ａとから成る。そして、合体手段４３は、大アクセサリー４１の大アクセサリー本体４４と小アクセサリー４２の小アクセサリー本体４５を互いに合体分離することができるが、合体させての通常の身に付けての使用では大アクセサリー本体４４から小アクセサリー４２或は小アクセサリー本体４５が容易に分離できないように構成されている。
【００６３】
この合体手段４３は、大アクセサリー本体４４の中心部軸方向へ設けたところの小アクセサリー本体４５を収容させる上端部と前面部開放の収容部４４ａと、大アクセサリー本体４４の上端部に設けた雌ネジ部４４ｂへその雄ネジ部４９ａをネジ着させて収容部４４ａの上端部に取り付けられた蓋体４９とから成り、雄ネジ部４９ａと雌ネジ部４４ｂとでネジ着手段４８ａから成る固定手段４８を構成している。
尚、蓋体４９は、大アクセサリー本体４４の外側にネジ着させるように構成しても良い。この場合には、蓋体４９の側に雌ネジ部が、大アクセサリー本体４４の側に雄ネジ部が設けられることになる。
【００６４】
収容部４４ａは、平面から見た小アクセサリー本体４５をそのまま収容できる大きさと形状を有しているが、小アクセサリー本体４５の吊下げ紐４７も同時に収容できる大きさと形状にしても良い。この場合には大アクセサリー本体４４に小アクセサリー４２が収容できることになる。尚、この収容部４４ａの形状と構造は実施例４のものに限定されない。それは小アクセサリーや小アクセサリー本体の形態によってさまざまに異なる。さらに、収容部４４ａには、とくに図１７に示したように、突条部４４ｄが設けられている。この突条部４４ｄは、小アクセサリー本体４５を収容部４４ａへ収容させる際に、当該小アクセサリー本体４５に設けた凹溝４５ｃと係合して、小アクセサリー本体４５が正しい位置で収容部４４ａへ収容されるようにするものである。もっともここのところは、収容部４４ａと小アクセサリー本体４５の形状を変形させて当該小アクセサリー本体４５が収容部４４ａへ正しい姿勢で収容されるようにしても良い。
【００６５】
収容部４４ａは前面側を開放させており、この開放させた窓部４４ｃを介して収容部４４ａ内へ収容させた小アクセサリー本体４５の装飾部材４５ｂを外部より見ることができようになっている。尚、窓部４４ｃの大きさは、小アクセサリー本体４５より小さくなっている。
【００６６】
大アクセサリー本体４４及び小アクセサリー本体４５は、好ましくはダイキャスト鋳物であるが、このものに限定されない。例えば、合成樹脂成形製、合成樹脂の成形品に金属メッキを施したもの、その他の金属製の鋳物、機械加工製のもの等が考えられる。要するにペンダントとして用いられるものであれば良い。
【００６７】
大アクセサリー本体４４と小アクセサリー本体４５は、外観上共に径の異なる丸筒或は丸棒状のものであり、このことにより、大アクセサリー４１と小アクセサリー４２が互いにペアアクセサリーであることが解るようになっている。
【００６８】
したがって、この実施例４のペアアクセサリー４０は、大アクセサリー本体４４の収容部４４ａ内に小アクセサリー本体４５が収容された形で吊下げ紐４６と共に販売され、例えば、恋人同士の男性が大アクセサリー４１側の蓋体４９に取り付けた吊下げ用リング４９ｂに通した吊下げ紐４６を用いて首から吊り下げることにより大ペンダントとして身に付け、小アクセサリー４２は、大アクセサリー本体４４より蓋体４９を外して小アクセサリー本体４５を収容部４４ａから取り出して、吊下げ用孔４５ａへ吊下げ紐４７を通して女性小ペンダントとして身につけるものである。大アクセサリー４１の吊下げ紐４６は、最初より吊下げ用リング４９ｂへ取り付けられていることが好ましいが、小アクセサリー４２の吊下げ紐４７は、小アクセサリー本体４５とは別となっており、好ましくは、大アクセサリー４１の吊下げ紐４６と同じ構造、形態、材質のものが同時に販売されることになる。尚、小アクセサリー４２の吊下げ紐４７を小アクセサリー本体４５の吊下げ用孔４５ａへ取り付けた状態で大アクセサリー本体４４の収容部４４ａへ収容させておくこともできる。或は別々でも良い。尚、吊下げ紐４６、４７は図面ではチェーンで示してあるが、チェーンに限定されない。それは金属製のチェーンを始めとしてさまざまな繊維製、樹脂製、ゴム製等のものがあり、その材料、形態、構造について限定はない。要するにペアアクセサリーを首から吊り下げることができれば良い。
【００６９】
本発明は、大アクセサリー４１と小アクセサリー４２がそれぞれ独立したペンダントのアクセサリーとして、別々に身につけることができるが、大アクセサリー４１から小アクセサリー４２を分離させても、大アクセサリー４１や小アクセサリー４２が各々独立したペンダントのアクセサリーとして、装飾性を持つものである。
【００７０】
また、恋人同士や夫婦のように親密な人間関係にある間柄では、例えば、男性が遠くに離れたところに居たり、長期に出張したりする場合、或は近い将来小アクセサリー４２を渡す人が現れる期待のある場合等に、大アクセサリー４１の大アクセサリー本体４４の収容部４４ａへ小アクセサリー４２の小アクセサリー本体４５を収容させた状態でペンダントとして身につけて持ち歩いても、蓋体４９が収容部４４ａから小アクセサリー本体４５が落下しないように上部を覆い、蓋体４９は固定手段４８であるネジ着手段４８ａで大アクセサリー本体４４へネジ着されていることと、さらに、窓部４４ｃの大きさは、小アクセサリー本体４５よりも小さいことから、小アクセサリー本体４５が大アクセサリー本体４４より容易に分離してしまうことがないものである。
【００７１】
このように、大アクセサリー４１の大アクセサリー本体４４の収容部４４ａの中に小アクセサリー４２の小アクセサリー本体４５を収容させ、或は吊下げ紐４７付きの小アクセサリー４２そのものを吊下げ紐４７と共に大アクセサリー本体４４の中へ収容させてペンダントとして身に付けることによっても、より一層の親密さを深めることが期待できるものである。
【００７２】
尚、実施例４に係る本発明の対象であるペアアクセサリーは、上述したように実施例４の丸棒状のもの以外にさまざまな形態のものが考えられる。このようなさまざまな形態のペアアクセサリーに、本実施例４に係る固定手段４８としてのネジ着手段４８ａを用いたものが、本発明の中に含まれることになる。
【実施例５】
【００７３】
図２０乃至図２４は、ペアペンダントに用いるペアアクセサリーのさらに他の実施例を示す。本実施例５に係るペアアクセサリー５０は、上下端部閉塞の角筒状を呈した大アクセサリー５１と、角棒状を呈した小アクセサリー５２と、この小アクセサリー５２と大アクセサリー５１の合体手段５３とから成る。大アクセサリー５１はさらに、大アクセサリー本体５４と、この大アクセサリー本体５４の上端部に設けた吊下げ用リング５４ａとから成り、小アクセサリー５２は、とくに図２２と図２４に示したように、小アクセサリー本体５５と、この小アクセサリー本体５５の上端部に設けた吊下げ用孔５５ａとから成る。そして、合体手段５３は、大アクセサリー５１の大アクセサリー本体５４と小アクセサリー５２の小アクセサリー本体５５を互いに合体分離することができるが、通常の使用では容易に分離できないように構成されている。
【００７４】
この合体手段５３は、大アクセサリー本体５４の表面中央部に設けたところの小アクセサリー本体５５を収容させる上面用開放の収容部５４ｂと、この収容部５４ｂの下端部に取り付けたコイルスプリングや板バネから成る弾性手段５８で構成した固定手段５９とで構成されている。
【００７５】
収容部５４ｂは、平面から見た小アクセサリー本体５５をそのまま収容できる大きさを有する形状をしており、その収容部５４ｂの形状と構造は実施例５のものに限定されない。それは小アクセサリーや小アクセサリー本体の形態によってさまざまに異なる。
【００７６】
小アクセサリー本体５５の表面には、複数の装飾部材５５ｂが取り付けられており、この小アクセサリー本体５５を収容部５４ｂへ収容させた時に、収容部５４ｂの窓部５４ｃを介して装飾部材５５ｂが外部より見えるように構成されている。
【００７７】
大アクセサリー本体５４及び小アクセサリー本体５５は、好ましくはダイキャスト鋳物であるが、このものに限定されない。例えば、合成樹脂成形製、合成樹脂の成形品に金属メッキを施したもの、その他の金属製の鋳物、機械加工製のもの等が考えられる。要するにペンダントとして用いられるものであれば良い。
【００７８】
大アクセサリー本体５４と小アクセサリー本体５５の形状が角筒状と角棒状という相似形の形態を持つので、大アクセサリー５１と小アクセサリー５２が互いにペアペンダントであることが解るようになっている。
【００７９】
したがって、この実施例５のペアアクセサリー５０は、大アクセサリー本体５４の収容部５４ｂに小アクセサリー本体５５が収容された形で吊下げ紐５６と共に販売され、例えば、恋人同士の男性が大アクセサリー５１の吊下げ用リング５４ａに通した吊下げ紐５６を用いて首から吊り下げることにより大ペンダントとして身に付け、小アクセサリー５２は、とくに図２２と図２４に示したように、大アクセサリー本体５４の収容部５４ｂより小アクセサリー本体５５を取り出して、その吊下げ用孔５５ａへ吊下げ紐５７を通して女性が小ペンダントとして身につけるものである。大アクセサリー５１の吊下げ紐５６は、最初より吊下げ用リング５４ａへ取り付けられていることが好ましいが、小アクセサリー５２の吊下げ紐５７は、小アクセサリー本体５５とは別となっており、好ましくは、大アクセサリー５１の吊下げ紐５６と同じ構造、形態、材質のものが同時に販売されることになる。尚、小アクセサリー５２の吊下げ紐５７を小アクセサリー本体５５の吊下げ用孔５５ａへ通した状態で大アクセサリー本体５４の収容部５４ｂへ収容させておくこともできる。また、吊下げ紐５６、５７は図面ではチェーンで示してあるが、チェーンに限定されない。それは金属製のチェーンを始めとしてさまざまな繊維製、樹脂製、ゴム製等のものがあり、その材料、形態、構造について限定はない。要するにペアアクセサリーをそれぞれ首から吊り下げることができれば良い。
【００８０】
実施例５のものも、大アクセサリー５１と小アクセサリー５２がそれぞれ独立したペンダントのアクセサリーとして、別々に身につけることができるが、大アクセサリー５１から小アクセサリー５２を分離させても、大アクセサリー５１や小アクセサリー５２が各々独立したアクセサリーとして装飾性を持つものである。
【００８１】
また、恋人同士や夫婦のように親密な人間関係にある間柄では、例えば、男性が遠くに離れたところに居たり、長期に出張したりする場合、或は近い将来小アクセサリー５２を渡す人が現れる期待のある場合等に、大アクセサリー５１の大アクセサリー本体５４の収容部５４ｂへ小アクセサリー５２の小アクセサリー本体５５を収容させた状態でペンダントとして身につけて持ち歩いても、小アクセサリー５２が弾性手段５８の弾力により収容部５４ｂの上端部側へ押圧されているので、小アクセサリー５２が大アクセサリー５１より容易に分離してしまうことがないところに特徴がある。
【００８２】
尚、大アクセサリー本体５４の後部側上部には、とくに図２１と図２４に示したように、貫通孔５４ｄが設けられているが、この貫通孔５４ｄは、小アクセサリー本体５５を収容部５４ｂより取り外す際に用いるもので、この貫通孔５４ｄより針金６０を差し入れて、小アクセサリー本体５５を裏側から押して、収容部５４ｂより取り外すものである。
【００８３】
このように、大アクセサリー５１の大アクセサリー本体５４の中に小アクセサリー５２の小アクセサリー本体５５を収容させ、或は吊下げ紐５７付きの小アクセサリー５２そのものを吊下げ紐５７と共に大アクセサリー本体５４の中へ収容させてペンダントとして身に付けることにより、より一層の親密さの度合いを深めることが期待できるものである。
【００８４】
尚、本実施例５のペアアクセサリーは、角筒状や角棒状のもの以外にさまざまな形態のものが考えられる。このようなさまざまな形態のペアアクセサリーに、本実施例５に係る固定手段５９に弾性手段５８を用いたものが、本発明の中に含まれることになる。
【実施例６】
【００８５】
図２５乃至図２８は、ペアペンダントに用いるペアアクセサリーのさらに他の実施例を示し、本実施例６に係るペアアクセサリー６５は、ハート状を呈した大アクセサリー６６と、同じくハート状を呈した小アクセサリー６７と、この小アクセサリー６７と大アクセサリー６６の合体手段６８とから成る。大アクセサリー６６はさらに、大アクセサリー本体６９と、この大アクセサリー本体６９の上端部に設けた吊下げ用リング６９ａとから成り、小アクセサリー６７は、とくに図２７と図２８に示したように、小アクセサリー本体７０と、この小アクセサリー本体７０の上端部に設けた吊下げ用リング７０ａとから成る。そして、合体手段６８は、大アクセサリー６６の大アクセサリー本体６９と小アクセサリー６７の小アクセサリー本体７０を互いに合体分離することができるが、通常の使用では容易に分離できないように構成されている。
【００８６】
合体手段６８は、大アクセサリー本体６９の表面のやや上部に設けたところの雌ネジ部６９ｂとこの雌ネジ部６９ｂに小アクセサリー本体７０の吊下げ用リング７０ａを通して取付ネジ７５で固定させるネジ着手段７６と、大アクセサリー本体６９と小アクセサリー本体７０の下部を結束するリング状の結束手段７３からなる固定手段７４とで構成されている。尚、大アクセサリー本体６９には結束手段７３を取り付ける際に用いられる切欠６９ｃ、６９ｃが設けられている。
【００８７】
大アクセサリー本体６９及び小アクセサリー本体７０は、好ましくはダイキャスト鋳物であるが、このものに限定されない。例えば、合成樹脂成形製、合成樹脂の成形品に金属メッキを施したもの、その他の金属製の鋳物、プレスその他の機械加工製のもの等が考えられる。要するにペンダントとして用いられるものであれば良い。
【００８８】
大アクセサリー本体６９と小アクセサリー本体７０は大小の違いはあるが同じハート形状であるので、大アクセサリー本体６９と小アクセサリー本体７０が互いにペアアクセサリーであることが解るようになっている。
【００８９】
したがって、この実施例６のペアアクセサリー６５は、大アクセサリー本体６９に小アクセサリー本体７０が重ね合わされた状態で吊下げ紐７１と共に販売され、例えば、恋人同士の男性が大アクセサリー６６の大アクセサリー本体６９に設けた吊下げ用リング６９ａに通した吊下げ紐７１を用いて首から吊り下げることにより大ペンダントとして身に付け、小アクセサリー６７は、大アクセサリー本体６９より小アクセサリー本体７０を分離して、吊下げ用リング７０ａへ吊下げ紐７２を通して女性が小ペンダントとして身につけるものである。大アクセサリー６６の吊下げ紐７１は、最初より吊下げ用リング６９ａへ取り付けられていることが好ましいが、小アクセサリー６７の吊下げ紐７２は、小アクセサリー本体７０とは別となっており、好ましくは、大アクセサリー６６の吊下げ紐７１と同じ構造、形態、材質のものが同時に販売されることになる。尚、吊下げ紐７１，７２は図面ではチェーンで示してあるが、チェーンに限定されない。それは金属製のチェーンを始めとしてさまざまな繊維製、樹脂製、ゴム製等のものがあり、その材料、形態、構造について限定はない。要するにペアアクセサリーを首から吊り下げることができれば良い。
【００９０】
実施例６に係るペアアクセサリーは、大アクセサリー６６と小アクセサリー６７がそれぞれ独立したアクセサリーであり、別々に身につけることができるが、大アクセサリー６６から小アクセサリー６７を分離させても、大アクセサリー６６や小アクセサリー６７が各々独立したアクセサリーとして、装飾性を持っている。
【００９１】
また、恋人同士や夫婦のように親密な人間関係にある間柄では、例えば、男性が遠くに離れたところに居たり、長期に出張したりする場合、或は近い将来小アクセサリー６７を渡す人が現れる期待のある場合等に大アクセサリー６６の大アクセサリー本体６９へ小アクセサリー本体７０を重ねて固定手段７４で固定させ合体させて状態でペンダントとして身につけて持ち歩いても、固定手段７４であるネジ着手段７６と結束手段７３で大アクセサリー本体６９へ固着されているので、小アクセサリー６７が大アクセサリー６６より容易に分離してしまうことがないところに特徴がある。
【００９２】
このように、大アクセサリー６６の大アクセサリー本体６９と小アクセサリー６７の小アクセサリー本体７０を重ねて合体させて身に付けることにより、より一層の親密さを深めることが期待できるものである。
【００９３】
尚、実施例６のハート状のもの以外にさまざまな形態のものが考えられる。このようなさまざまな形態のペアアクセサリーに、本実施例６に係る固定手段７４としての結束手段７３とネジ着手段７６を用いたものが、本発明の中に含まれることになる。
【００９４】
さらに、以上の実施例１〜６においては、いずれも大アクセサリー本体と小アクセサリー本体、或は大アクセサリー本体と小アクセサリーとが互いに合体された状態で販売されることを前提としているが、これは販売の一形態であって、このものに限定されない。それは大アクセサリーは大アクセサリーで、小アクセサリーは小アクセサリーでそれぞれ吊下げ紐を取り付けた状態で販売されても良く、ペアアクセサリーの形態、構造、組合せ方によって、任意に選択できる事項である。
【実施例７】
【００９５】
図２９乃至図３２は、ペアペンダントに用いるペアアクセサリーのさらに他の実施例を示し、この実施例７に係るペアアクセサリー８０は、合体手段８１における固定手段８２に特徴を有している。
【００９６】
図面によれば、ペアアクセサリー８０は、全体として十字架形状を呈しており、大型の十字架形状を呈した大アクセサリー本体８４とこの大アクセサリー本体８４の上端部に設けた吊下げ用リング８４ｂとから成る大アクセサリー８４Ａと、小型の十字架形状を呈した小アクセサリー本体８７とこの小アクセサリー本体８７の上端部に設けた吊下げ用リング８７ａとから成る小アクセサリー８７Ａとで構成されている。合体手段８１は、大アクセサリー本体８４に設けた小アクセサリー本体８７の形態に合せた溝状の収容部８４ａと、固定手段８２とから成り、この固定手段８２は、収容部８４ａの下端部に設けた係止凹部８４ｃと、小アクセサリー本体８７の下端部に設けた係止凸部８７ｂとからなる凹凸係合手段８９と、磁力吸着手段８３とで構成されている。そして、この磁力吸着手段８３は、収容部８４ａの略中央部の表面に取り付けた磁石８３ａと、小アクセサリー本体８７の裏面にこの小アクセサリー本体８７を収容部８４ａ内へ収容させた時に磁石８３ａと当接する位置に取り付けた磁性片８３ｂとで構成されている。
【００９７】
さらに、大アクセサリー本体８４と小アクセサリー本体８７は、いずれもその上端部に吊下げ用リング８４ｂと８７ａを有し、大アクセサリー本体８４側の吊下げ用リング８４ｂは、収容部８４ａの底面８４ｄとその上面が面一となるように形成されており、小アクセサリー本体８７側の吊下げ用リング８７ａは、その下端面が小アクセサリー本体８７の下面側と面一となるように形成されている。そして、小アクセサリー本体８７を収容部８４ａ内へ収容させた時に、吊下げ用リング８４ｂと８７ａは互いに軸心を共通にして重なり合うようにその取り付け位置関係が定められている。この際に、吊下げ用リング８４ｂと８７ａの互いに重なり合う面側を平らに構成することが望ましい。しかし、その断面形状に限定はない。
【００９８】
さらに、小アクセサリー本体８７には、十字架のクロス位置に宝石、或は模造宝石などから成る装飾部材８６が取り付けられているが、この装飾部材８６についても実施例に限定されない。他のさまざまな装飾部材を取り付けることができる。
【００９９】
また、磁力吸着手段８３は、収容部８４ａ側と小アクセサリー本体８７側の相方に互いに吸着し合う磁石を用いることができ、磁石８３ａと磁性片８３ｂの取付箇所を上記したものと逆にしても良い。このように、磁力吸着手段８３を用いると、この磁力吸着手段８３単独で固定手段とすることも可能である。
【０１００】
この実施例７に係るペアアクセサリー８０は、発売時には、図２９に示したように、大アクセサリー本体８４と小アクセサリー本体８７が合体され、互いに重なり合った吊下げ用リング８４ｂと８７ａに大アクセサリー本体８４用の吊下げ紐８５が係止具８５ａを介して取り付けられており、小アクセサリー本体８７用の吊下げ紐８８は別になっているが、大アクセサリー本体８４と小アクセサリー本体８７を分離する際には、大アクセサリー本体８４用の吊下げ紐８５の係止具８５ａを外して大アクセサリー本体８４と小アクセサリー本体８７を分離させ、大アクセサリー本体８４には、大アクセサリー本体８４用の吊下げ紐８５を係止具８５ａを介して取り付け、小アクセサリー本体８７には、小アクセサリー本体８７用の吊下げ紐８８を係止具８８ａを介して取り付け、各々を恋人同士や夫婦、親子といったカップルが首より吊り下げて身につけることにより、ペアペンダント７９となるものである。尚、図２９の各吊下げ紐８５と８８に指示記号８５ｂ、８８ｂで示したものは連結具である。
【０１０１】
もっとも、ここのところは、最初から、大アクセサリー本体８４の吊下げ用リング８４ｂへ吊下げ紐８５を取り付け、小アクセサリー本体８７の吊下げ用リング８７ａへ吊下げ紐８８を取り付けてペアにしたペアペンダントとして図示してないケースへ入れて販売しても良いし、大アクセサリー本体８４へ小アクセサリー本体８７を合体させた状態で各吊下げ紐８５と８８をそれぞれ別々に組み合わせてケースに入れて販売しても良く、その販売の仕方に限定はない。
【実施例８】
【０１０２】
図３３乃至図４７は、本発明に係るペアアクセサリーのさらに他の実施例を示す。この実施例８に係るペアアクセサリーは、形態は各々異なるが、合体手段の固定手段を凹凸係合手段のみとした点で共通しているので、一括して説明する。
【０１０３】
まず、図３３乃至図３５に示したものは、実施例７のものと少し形態の異なる十字架状のペアアクセサリー８０Ａであるが、このペアアクセサリー８０Ａは、大型の十字架形状を呈した大アクセサリー本体９０とこの大アクセサリー本体９０の上端部に設けた吊下げ用リング９０ｃとから成る大アクセサリー９０Ａと、小型の十字架形状を呈した小アクセサリー本体９１とこの小アクセサリー本体９１の上端部に設けた吊下げ用リング９１ｂとから成る小アクセサリー９１Ａとで構成されている。固定手段９３は、収容部９０ａに設けた係止凹部９０ｂと、小アクセサリー本体９１に設けた係止凸部９１ａと、から成る凹凸係合手段９４であり、吊下げ用リング９０ｃと９１ｂは、大アクセサリー本体９０に設けた収容部９０ａへ小アクセサリー本体９１を収容させた際に、軸心を共通にして重なり合うように設けられている。
【０１０４】
次に、図３６乃至図３８に示したものは、全体の形状が丸棒状のペアアクセサリー８０Ｂである。図面によれば、ペアアクセサリー８０Ｂは、大型の丸棒状を呈した大アクセサリー本体９５とこの大アクセサリー本体９５の上端部に設けた吊下げ用リング９５ｃとから成る大アクセサリーと９５Ａと、小型の角棒状を呈した小アクセサリー本体９６とこの小アクセサリー本体９６の上端部に設けた吊下げ用リング９６ｂとから成る小アクセサリー９６Ａとで構成されている。固定手段９８は収容部９５ａに設けた係止凹部９５ｂと、小アクセサリー本体９６に設けた係止凸部９６ａから成る凹凸係合手段９９であり、吊下げ用リング９５ｃと９６ｂは、大アクセサリー本体９５に設けた収容部９５ａへ小アクセサリー本体９６を収容させた際に、互いに軸心を共通にして重なり合う位置に設けられている。
【０１０５】
さらに、図３９と図４１に示したものは、全体が角棒状のペアアクセサリー８０Ｃであり、このペアアクセサリー８０Ｃは、大型の角棒状を呈した大アクセサリー本体１００とこの大アクセサリー本体１００の上端部に設けた吊下げ用リング１００ｃとから成る大アクセサリー１００Ａと、小型の角棒状を呈した小アクセサリー本体１０１とこの小アクセサリー本体１０１の上端部に設けた吊下げ用リング１０１ｂとから成る小アクセサリー１０１Ａとで構成されている。合体手段１０２は大アクセサリー本体１００に設けた収容部１００ａである。固定手段１０３は収容部１００ａに設けた係止凹部１００ｂと、小アクセサリー本体１０１に設けた係止凸部１０１ａから成る凹凸係合手段１０４であり、吊下げ用リング１００ｃと１０１ｂは、大アクセサリー本体１００と小アクセサリー本体１０１には、大アクセサリー本体１００に設けた収容部１００ａへ小アクセサリー本体１０１を収容させた際に、軸心を共通にして重なり合う位置に設けられている。
【０１０６】
さらに、図４２乃至図４４に示したペアアクセサリー８０Ｄは、大型のハートの形を縁取った大アクセサリー本体１０５とこの大アクセサリー本体１０５の上端部に設けた吊下げ用リング１０５ｇとから成る大アクセサリー１０５Ａと、小型のハート状の形を縁取った小アクセサリー本体１０６とこの小アクセサリー本体１０６の上端部に設けた吊下げ用リング１０６ｆとから成る小アクセサリー１０６Ａとで構成されている。合体手段１０７は、大アクセサリー本体１０５に設けた収容部１０５ａである。この収容部１５ａは、小アクセサリー本体１０６の前端部１０６ａと後端部１０６ｂと翼を模した部分の各両端部１０６ｃ、１０６ｄを収容させる４つの先端収容部１０５ｂ、後端収容部１０５ｃ、両端収容部１０５ｄ及び１０５ｅから構成されている。固定手段１０８はその後端収容部１０５ｃに設けた係止凹部１０５ｆと、小アクセサリー本体１０６の後端部１０６ｂに設けた係止凸部１０６ｅから成る凹凸嵌合手段１０９で構成されている。吊下げ用リング１０５ｇと１０６ｆは、大アクセサリー本体１０５に設けた収容部１０５ａへ小アクセサリー本体１０６を収容させた際に、軸心を共通にして重なり合う位置に設けられている。
【０１０７】
そして、図４５乃至図４７に示したペアアクセサリー８０Ｅは、大小のハート形状を呈した大アクセサリー１１０Ａと小アクセサリー１１１Ａを組み合わせたもので、大アクセサリー１１０Ａは、大型のハート形状を呈した大アクセサリー本体１１０とこの大アクセサリー本体１１０の上端部に設けた吊下げ用リング１１０ｃとから成り、小アクセサリー１１１Ａは、小型のハート形状を呈した小アクセサリー本体１１１とこの小アクセサリー本体１１１の上端部に設けた吊下げ用リング１１１ｂとから成るものである。合体手段１１２は大アクセサリー本体１１０に設けた収容部１１０ａで構成され、固定手段１１３は収容部１１０ａの下端部に設けた係止凹部１１０ｂと、小アクセサリー本体１１１に設けた係止凸部１１１ａから成る凹凸係合手段１１４で構成されている。吊下げ用リング１１０ｃと１１１ｂは、大アクセサリー本体１１０に設けた収容部１１０ａへ小アクセサリー本体１１１を収容させた際に、軸心を共通にして重なり合う位置に設けられている。
【０１０８】
次ぎに、実施例７と８に係る各大アクセサリーと各小アクセサリーは、それぞれ独立したアクセサリーであり、別々に身につけることができるが、各大アクセサリー本体から各小アクセサリーを分離させても、各大アクセサリーや各小アクセサリーが各々独立したアクセサリーとして、装飾性を持っていることは言うまでもない。
【０１０９】
また、恋人同士や夫婦のように親密な人間関係にある間柄では、例えば、男性が遠くに離れたところに居たり、長期に出張したりする場合、或は近い将来小アクセサリーを渡す人が現れる期待のある場合等に大アクセサリーの大アクセサリー本体へ小アクセサリー本体を合体させて固定手段で固定させた状態で吊下げ紐を取り付けてペンダントとして首に掛けて持ち歩いても、各小アクセサリー本体は各固定手段で大アクセサリー本体へ固定されているので、小アクセサリー本体が大アクセサリー本体より容易に分離してしまうことがない。
【０１１０】
このように、大アクセサリーの大アクセサリー本体と小アクセサリーの小アクセサリー本体を重ねて合体させて身に付けることにより、より一層の親密さを深めることが期待できるものである。
【０１１１】
また、実施例７と８に係るペアアクセサリーは、上述したように実施例に示したもの以外にさまざまな形態のものが考えられる。このようなさまざまな形態のペアアクセサリーに、本実施例７と８に係る固定手段を用いたものが、本発明の中に含まれることになる。
【０１１２】
さらに、以上の実施例７と８においては、いずれも大アクセサリー本体と小アクセサリー本体が互いに合体された状態で販売されることを前提としているが、これは販売の一形態であって、このものに限定されない。それは大アクセサリーは大アクセサリーで、小アクセサリーは小アクセサリーでそれぞれ吊下げ紐を取り付けた状態で販売されても良い。それはペアアクセサリーの形態、構造、組合せ方によって、任意に選択できる事項である。
【０１１３】
そして、実施例１〜８に示されたもの以外にさまざまな構造や形態のものがあり、各実施例のものに限定されない。各実施例の合体手段についても、本発明の趣旨を逸脱しない範囲でこれらを他の実施例のものに組み合わせて利用できるものである。
【０１１４】
実施例７と８の各収容部８４ａ、９０ａ、９５ａ、１００ａ、１０５ａ、及び１１０ａは、いずれも上端側を開放させてあり、このように構成すると各係止凹部８４ｃ、９０ｂ、９５ｂ、１００ｂ、１０５ｆ、１１０ｂへ各係止凸部８７ｂ、９１ａ、９６ａ、１０１ａ、１０６ａを係合させることが容易であるが、この部分を閉じてしまっても、とくに問題は生じない。この場合でも各係止凹部８４ｃ、９０ｂ、９５ｂ、１００ｂ、１０５ｆ、１１０ｂと係止凸部８７ｂ、９１ａ、９６ａ、１０１ａ、１０６ａの係合は容易である。
【０１１５】
実施例７と８の各大アクセサリー本体８４、９０、９５、１００、１０５、１１０と各小アクセサリー本体８７、９１、９６、１０１、１０６、１１１の合体時の凹凸係合手段８９、９４、９９、１０４、１０９、１１４による係合は、通常の状態では容易には分離しないが、落としたりして強い衝撃が加わると分離する場合もあるが、各吊下げ用リング８４ｂ、９０ｃ、９５ｃ、１００ｃ、１０５ｃ、１１１ｃ、８７ａ、９１ｂ、９６ｂ、１０１ｂ、１０６ｆ、１１１ｂが係止具８５ａ、８８ａによって連結されているため、紛失してしまう恐れはない。
【０１１６】
また、この場合には小アクセサリー本体８７、９１、９６、１０１、１０６、１１１側の吊下げ用リング８４ｂ、９０ｃ、９５ｃ、１００ｃ、１０５ｃ、１１１ｃ、８７ａ、９１ｂ、９６ｂ、１０１ｂ、１０６ｆ、１１１ｂの設置位置は、各収容部８４ａ、９０ａ、９５ａ、１００ａ、１０５ａ、１１０ａの底部と面一にはならないが、この場合には大アクセサリー本体８４、９０、９５、１００、１０５、１１０の吊下げ用リング８４ｂ、９０ｃ、９５ｃ、１００ｃ、１０５ｃ、１１１ｃの位置を少し上側へ上げてやれば良いであろう。
【０１１７】
さらに、実施例８のものには、実施例７のような磁力吸着手段や装飾部材はないが、これらを設けることは任意である。
【実施例９】
【０１１８】
図４８乃至図５０は、本発明に係るペアアクセサリーを携帯電話機のペアストラップとして用いた場合を示す。この実施例９に係る十字架状を呈したペアアクセサリー１１５は、大型の十字架形状を呈した大アクセサリー本体１１６とこの大アクセサリー本体１１６の上端部に設けた吊下げ用リング１１６ｃとから成る大アクセサリー１１６Ａと、小型の十字架形状を呈した小アクセサリー本体１１７とこの小アクセサリー本体１１７の上端部に設けた吊下げ用リング１１７ｂとから成る小アクセサリー１１７Ａとで構成されている。
【０１１９】
図４８に示したように、携帯電話機へ取り付けられる大アクセサリー本体１１６用のストラップ１１８の係止リング１１８ａに、連結具１１９を介して吊り下げられており、隣接して小アクセサリー本体１１７用のストラップ１２０が表示されている。図４９には、ストラップ１１８とストラップ１２０には、それぞれペアアクセサリー１１５を構成する大アクセサリー１１６Ａと小アクセサリー１１７Ａがそれぞれの係止リング１１８ａと１２０ａを連結具１１９と１２１を介して吊り下げられて、ペアストラップ１２２を形成したものが示されている。尚、係止リング１１８ａと１２０ａは取付具１１８ｂと１２０ｂを介してストラップ１１８と１２０へ取り付けられている。
【０１２０】
合体手段１２３は、大アクセサリー本体１１６に設けた小アクセサリー本体１１７を収容させる十字架溝形状の収容部１１６ａである。固定手段１２４は収容部１１６ａに設けた係止凹部１１６ｂと、小アクセサリー本体１１７に設けた係止凸部１１７ａと、から成る凹凸係合手段１２５であり、大吊下げ用リング１１６ｃと１１７ｂは、大アクセサリー本体１１６に設けた収容部１１６ａへ小アクセサリー本体１１７を収容させた際に、軸心を共通にして重なり合うように設けられている。
【０１２１】
この実施例９に係るものも、大アクセサリー本体１１６と小アクセサリー本体１１７は、それぞれストラップ１１８と１２０に取り付けられることにより、独立した男性用と女性用のペアストラップ１２２となるものであり、別々に携帯電話機へ取り付けることができるが、大アクセサリー本体１１６から小アクセサリー本体１１７を分離させても、それぞれが独立したペアストラップ１２２のアクセサリーとして、装飾性を持っていることは言うまでもない。ストラップ１１８と１２０の形態は１例であって実施例のものに限定されない。大アクセサリー本体１１６と小アクセサリー本体１１７の取り付け方も実施例のものに限定されない。要するにペアアクセサリーを取り付けたストラップであれば足りる。
【０１２２】
また、恋人同士や夫婦のように親密な人間関係にある間柄では、例えば、男性が遠くに離れたところに居たり、長期に出張したりする場合、或は近い将来小アクセサリー本体１１７を渡す人が現れる期待のある場合等に大アクセサリー本体１１６を合体させて、固定手段１２４で固定させた状態で携帯電話機にストラップ１１８へ取り付けて持ち歩いても、小アクセサリー本体１１７は各固定手段１２４で大アクセサリー本体１１６へ固定されているので、小アクセサリー本体１１７が大アクセサリー本体１１６より容易に分離してしまうことがない。
【０１２３】
このように、大アクセサリー本体１１６と小アクセサリー本体１１７を重ねて合体させてストラップ１１８へ取り付けたり、別々に分離して各ストラップ１１８、１２０へ取り付けることにより、より一層の親密さを深めることが期待できるものである。
【０１２４】
尚、この実施例９のペアストラップ１２２に用いるペアアクセサリー１１５については、十字架状のものを示したが、このペアアクセサリー１１５は、上述した各実施例に示したさまざまな形態のペアアクセサリーや、その他の形態のペアアクセサリーを用いることができるものである。
【０１２５】
その他、実施例１から実施例９に係る各ペアアクセサリーは、これを一対のネックレスやブレスレットへ取り付けて、ペアネックレス或はペアブレスレットとすることができる。
【０１２６】
この場合にも本願発明と同じ目的と効果を達成することができるものであり、本願発明に係るペアアクセサリーを取り付けるものは、その他の親しい者同士がペアで持ち歩くことのできるさまざま見飾品その他のものに用いることができるものである。
【産業上の利用可能性】
【０１２７】
以上詳細に説明したように、本発明に係るペアアクセサリーは、親しい友人同士、恋人同士、許婚同士、或は夫婦や家族等が、より親密さを深めるために用いることができるペアアクセサリー、或はこのペアアクセサリーを取り付けたとくにペアペンダント、ペアストラップ、及びペアブレスレット、ペアネックレス等として用いることができる。
【符号の説明】
【０１２８】
１、１５、３０、４０、５０、６５、８０，８０Ａ、８０Ｂ、８０Ｃ、８０Ｄ、８０Ｅ  １１５・・・  ペアアクセサリー
２、１６、３１、４１、５１、６６、８４Ａ、９０Ａ、９５Ａ、１００Ａ、１０５Ａ、１１０Ａ、１１６Ａ・・・  大アクセサリー
３、１７、３２、４２、５２、６７、８７Ａ、９１Ａ、９６Ａ、１０１Ａ、１０６Ａ、１１１Ａ、１１７Ａ・・・  小アクセサリー
４、１９、３４、４４、５４、６９、８４、９０、９５、１００、１０５、１１０、１１７６・・・  大アクセサリー本体
４ａ、１９ａ、３４ａ、４４ａ、５４ｂ、８４ａ、９０ａ、９５ａ，１００ａ，１０５ａ，１１０ａ  収容部
６、２１、３５、４５、５５、７０、８７、９１、９６、１０１、１０６、１１１、１１７・・・  小アクセサリー本体
８、１８、３３、４３、５３、６８、８１、９４、９７、１０２、１０７、１１２・・・  合体手段
９、２３・・・  ヒンジ手段
１０、２４、３８、４９・・・  蓋体
１１、８３・・・  磁力吸着手段
１２、２６、３９、４８、５９、７４、８２、９３、９８、１０３、１０８・・・  固定手段
２５・・・  フック手段
３９ｂ、４８ａ、７６・・・  ネジ着手段
７３・・・  結束手段
８９、９４、９９、１０４、１０９、１１４・・・  凹凸係合手段
８４ｃ、９０ｂ、９５ｂ、１００ｂ、１０５ｆ、１１０ｂ・・・  係止凹部
８７ｂ、９１ａ、９６ａ、１０１ａ、１０６ｅ、１１１ａ・・・  係止凸部
８５、８８・・・  吊下げ紐
８４ｂ、９０ｃ、９５ｃ、１００ｃ、１０５ｇ、１１０ｃ・・・  吊下げ用リング（大アクセサリー）
８７ａ、９１ｂ、９６ｂ、１０１ｂ、１０６ｆ、１１１ｂ・・・  吊下げ用リング（小アクセサリー）
【図１】
2010269125.tif 000003
【図２】
2010269125.tif 000004
【図３】
2010269125.tif 000005
【図４】
2010269125.tif 000006
【図５】
2010269125.tif 000007
【図６】
2010269125.tif 000008
【図７】
2010269125.tif 000009
【図８】
2010269125.tif 000010
【図９】
2010269125.tif 000011
【図１０】
2010269125.tif 000012
【図１１】
2010269125.tif 000013
【図１２】
2010269125.tif 000014
【図１３】
2010269125.tif 000015
【図１４】
2010269125.tif 000016
【図１５】
2010269125.tif 000017
【図１６】
2010269125.tif 000018
【図１７】
2010269125.tif 000019
【図１８】
2010269125.tif 000020
【図１９】
2010269125.tif 000021
【図２０】
2010269125.tif 000022
【図２１】
2010269125.tif 000023
【図２２】
2010269125.tif 000024
【図２３】
2010269125.tif 000025
【図２４】
2010269125.tif 000026
【図２５】
2010269125.tif 000027
【図２６】
2010269125.tif 000028
【図２７】
2010269125.tif 000029
【図２８】
2010269125.tif 000030
【図２９】
2010269125.tif 000031
【図３０】
2010269125.tif 000032
【図３１】
2010269125.tif 000033
【図３２】
2010269125.tif 000034
【図３３】
2010269125.tif 000035
【図３４】
2010269125.tif 000036
【図３５】
2010269125.tif 000037
【図３６】
2010269125.tif 000038
【図３７】
2010269125.tif 000039
【図３８】
2010269125.tif 000040
【図３９】
2010269125.tif 000041
【図４０】
2010269125.tif 000042
【図４１】
2010269125.tif 000043
【図４２】
2010269125.tif 000044
【図４３】
2010269125.tif 000045
【図４４】
2010269125.tif 000046
【図４５】
2010269125.tif 000047
【図４６】
2010269125.tif 000048
【図４７】
2010269125.tif 000049
【図４８】
2010269125.tif 000050
【図４９】
2010269125.tif 000051
【図５０】
2010269125.tif 000052